(57)【要約】【課題】スライド操作に応じたカーソルの動きをユーザに認識しやすくし、カーソルをオブジェクトに重ねるスライド操作を容易にする技術を提供する。【解決手段】表示制御装置において、受付部２４は、表示部２２から離れた位置にあるタッチ入力部に入力された操作情報を受け付ける。処理部２６は、受付部２４が受け付けた操作情報に応じて表示部２２の表示を制御する。処理部２６は、受付部２４がスライド操作をした操作情報を受け付けた場合、カーソルの表示形状をカーソルの中心点からスライド方向前方に延び、且つスライド方向に直交する方向に縮めるように変形する。【選択図】図２
2019075033.tif 000002
【特許請求の範囲】
【請求項１】
表示部から離れた位置にあるタッチ入力部に入力された操作情報を受け付ける受付部と、
前記受付部が受け付けた操作情報に応じて前記表示部の表示を制御する処理部と、を備え、
前記処理部は、前記受付部がスライド操作をした操作情報を受け付けた場合、カーソルの表示形状をカーソルの中心点からスライド方向前方に延び、且つスライド方向に直交する方向に縮めるように変形することを特徴とする表示制御装置。
【発明の詳細な説明】
【技術分野】
【０００１】
本発明は、タッチ入力部に入力された操作情報に応じて表示部の画像表示を制御する表示制御装置に関する。
【背景技術】
【０００２】
特許文献１には、矢印形状のマウスカーソルの向きをマウスのスライド方向に合わせ、矢印の延長線上にメニューアイコンが位置する状態でマウスがクリックされれば、マウスカーソルがそのメニューアイコンまで瞬時に移動されるマウスカーソルの制御装置が開示されている。
【先行技術文献】
【特許文献】
【０００３】
【特許文献１】特開特開平１０−４００１８号公報
【発明の概要】
【発明が解決しようとする課題】
【０００４】
特許文献１の技術では、マウスカーソルをメニューアイコンに移動させるために、矢印形状のマウスカーソルの向きをメニューアイコンに合わせるためのスライド操作と、メニューアイコンに向きを合わせた状態でのクリック操作とを要する。
【０００５】
本発明の目的は、スライド操作に応じたカーソルの動きをユーザに認識しやすくし、カーソルをオブジェクトに重ねるスライド操作を容易にする技術を提供することにある。
【課題を解決するための手段】
【０００６】
上記課題を解決するために、本発明のある態様の表示制御装置は、表示部から離れた位置にあるタッチ入力部に入力された操作情報を受け付ける受付部と、受付部が受け付けた操作情報に応じて表示部の表示を制御する処理部と、を備える。処理部は、受付部がスライド操作をした操作情報を受け付けた場合、カーソルの表示形状をカーソルの中心点からスライド方向前方に延び、且つスライド方向に直交する方向に縮めるように変形する。
【０００７】
この態様によると、カーソルをスライド方向に沿って延ばすことで、ユーザが操作方向を認識しやすくできる。カーソルを中心点からスライド方向前方に延ばすことで、変形させない場合と比べて、カーソルをオブジェクトに近づけることができ、カーソルをオブジェクトに重ねるための移動量を小さくできる。また、カーソルを細くすることで、カーソルを他のオブジェクトに重なりにくくすることができる。
【発明の効果】
【０００８】
本発明によれば、スライド操作に応じたカーソルの動きをユーザに認識しやすくし、カーソルをオブジェクトに重ねるスライド操作を容易にする技術を提供できる。
【図面の簡単な説明】
【０００９】
【図１】車両に設けられるタッチ入力部および表示部について説明するための図である。
【図２】表示制御装置の機能構成について説明するための図である。
【図３】変形前後のカーソルの形状を示す図である。
【図４】カーソルを変形する処理について説明するための図である。
【発明を実施するための形態】
【００１０】
図１は、車両に設けられるタッチ入力部２０および表示部２２について説明するための図である。図１ではタッチ入力部２０が見やすくなるように助手席を倒した状態で示す。タッチ入力部２０は、運転席と助手席の間のセンターコンソールに設けられ、ユーザのタッチ操作が入力されるタッチパッド型の入力装置である。タッチ入力部２０は、タッチ操作による入力信号を不図示の表示制御装置に出力し、表示制御装置の制御によって表示部２２に画像が表示される。
【００１１】
表示部２２は、タッチ入力部２０から離れた位置のダッシュボードに設けられ、車載機能を選択するためのメニュー画像、車載機能を実行していることを示す画像などを表示する。表示部２２は、運転者が視認しやすいように、タッチ入力部２０より車両前方で高い位置に設けられる。ユーザは、表示部２２を見ながら、センターコンソールに手首を置き、タッチ入力部２０を見ずにタッチ入力部２０にタッチ操作、例えばスライド操作やタップ操作を入力して、車載機能を選択する。なお、タッチ入力部２０には、メニュー画像を呼び出すメニューボタンや前の画像に戻るバックボタンなどの機械式スイッチが設けられてよい。
【００１２】
図２は、表示制御装置１０の機能構成について説明するための図である。図２において、さまざまな処理を行う機能ブロックとして記載される各要素は、ハードウェア的には、回路ブロック、メモリ、その他のＬＳＩで構成することができ、ソフトウェア的には、メモリにロードされたプログラムなどによって実現される。したがって、これらの機能ブロックがハードウェアのみ、ソフトウェアのみ、またはそれらの組合せによっていろいろな形で実現できることは当業者には理解されるところであり、いずれかに限定されるものではない。
【００１３】
表示制御装置１０は、受付部２４および処理部２６を備える。受付部２４は、タッチ入力部２０に入力された操作情報を受け付ける。処理部２６は、受付部２４が受け付けた操作情報に応じて表示部２２の表示を制御する。タッチ入力部２０から出力される操作情報は、タッチの操作の入力位置を示す座標情報と、機械式スイッチの入力情報とを含む。タッチ入力部２０の入力位置は、例えば入力始点をゼロ点として車両前後方向が上下方向、車幅方向が左右方向の座標情報に変換される。
【００１４】
処理部２６は、操作検出部２８、カーソル配置部３０、画像生成部３２および決定部３４を有する。操作検出部２８は、操作情報に示される入力始点（タッチイン）および入力終点（タッチアウト）の軌跡から、操作の種類を判定し、スライド操作である場合にはスライド方向およびスライド量を検出する。操作の種類には、例えばスライド操作、タップ操作、ピンチ操作、長押し操作などがある。
【００１５】
カーソル配置部３０は、操作情報にもとづいて、表示部２２に表示させるカーソルの配置、すなわち画面上のカーソルの位置座標を決定する。カーソルの位置座標は、カーソルの略中央に位置する中心点の位置を示す。カーソル配置部３０は、タッチ入力部２０へのスライド操作に応じて、カーソルの中心点を表示部２２の画面上で移動するように配置する。カーソル配置部３０は、タッチ入力部２０のスライド操作量を所定の縦横比で表示部２２でのカーソルの移動量に変換してよい。変換のための所定の縦横比は、タッチ入力部２０と表示部２２の大きさの比率にもとづいて設定されてよい。
【００１６】
決定部３４は、たとえばカーソルがアイコンに重なった状態でタップ操作がなされた場合に、そのアイコンに設定された車載機能の実行を決定し、決定された車載機能の画像を画像生成部３２が生成する。決定部３４は、カーソルの当り判定領域がアイコンや選択項目などのオブジェクトに近接または接触すると、カーソルがオブジェクトに重なったと判定する。決定部３４は、タッチ入力部２０への入力に応じて、すなわち操作検出部２８の検出結果にもとづいてカーソルに重なるオブジェクトの機能が選択されたことを決定する。
【００１７】
決定部３４は、カーソルの当り判定領域と、表示部２２に表示させるカーソルの表示形状とを同一に設定する。つまり、表示部２２に表示されたカーソルがオブジェクトに近接または接触すると、決定部３４は、カーソルの当り判定領域もそのオブジェクトに近接または接触したとして、カーソルがオブジェクトに重なったと判定する。これにより、カーソルの当り判定を、ユーザに見える表示部２２に表示されたカーソルとを一致させて、ユーザにカーソルの当り判定を認識しやくさせる。
【００１８】
画像生成部３２は、タッチ入力部２０への入力に応じて、すなわち操作検出部２８の検出結果、カーソル配置部３０の配置結果および決定部３４の決定結果にもとづいて表示部２２に表示させる画像を生成する。カーソル配置部３０の配置結果には、カーソルの位置座標とカーソルのスライド量やスライド方向も含まれる。画像生成部３２は、車載機能に応じた画像を不図示のメモリから取り出し、取り出した画像にカーソルを重ねて画像を生成する。
【００１９】
画像生成部３２は、受付部２４がスライド操作を受け付けた場合、カーソルの表示形状をカーソルの中心点からスライド方向前方に延びるように変形し、スライド方向に直交する方向に縮めるようにカーソルの表示形状を変形する。カーソルを中心点からスライド方向前方に延ばすことで、カーソルをオブジェクトに重ねやすくでき、変形させない場合と比べて、カーソルをオブジェクトに重ねるための移動量を小さくできる。
【００２０】
図３は、変形前後のカーソルの形状を示す図である。図３に示す変形前のカーソル４０ａと変形後のカーソル４０ｂは、中心点Ｃを一致させた状態で表されている。変形前のカーソル４０ａは、円環状に表示され、移動していない通常状態の形状であり、略真円形状である。
【００２１】
画像生成部３２は、受付部２４がスライド操作を受け付けた場合、円環状のカーソル４０ａをカーソル４０ａの中心点Ｃからスライド方向４６の前後方向に延びるように楕円状または長円状に変形させて表示部２２に表示させる。図３に示す変形後のカーソル４０ｂは楕円状であり、スライド方向４６を軸に延びている。これにより、カーソルがスライド方向に延びる変形をユーザに認識させやすくなる。
【００２２】
カーソル４０ｂは、スライド方向４６に直交する直交方向４８に縮めるようにカーソル４０ｂの表示形状が変形されている。変形前のカーソル４０ａと、変形後のカーソル４０ｂは同じ面積であってよい。
【００２３】
変形後のカーソル４０ｂは、スライド方向４６において、変形前のカーソル４０ａの直径の２倍まで延びる。つまり、変形後のカーソル４０ｂは、カーソル４０ａの直径に対してスライド方向４６に所定の倍率まで延びる。なお、カーソル４０ｂは、ユーザのスライド操作が湾曲する場合に、スライド方向４６の変化に応じて湾曲してよい。
【００２４】
図４は、カーソルを変形する処理について説明するための図である。図４（ａ）にはカーソル４０ａが円環状の状態で表示部２２の中央に表示される。図４（ａ）に示すカーソル４０は、移動しておらず、略真円形状である。また、表示部２２には、アイコンとして第１オブジェクト４２ａおよび第２オブジェクト４２ｂが表示される。カーソル４０ａは、一般的なマウスカーソルより大きく、第１オブジェクト４２ａと同等の大きさ、少なくとも第１オブジェクト４２ａの面積の半分以上の大きさを有する。ユーザは、第２オブジェクト４２ｂに向かうスライド操作をタッチ入力部２０に入力する。
【００２５】
図４（ｂ）には、受付部２４がスライド操作を受け付け、画像生成部３２は、カーソル４０の中心点からスライド方向の前後方向に延び、スライド方向に直交する方向に縮めるようにカーソル４０の表示形状を変形するとともに、スライド操作に応じてカーソル４０の中心点を移動させる。このとき、カーソル４０の当り判定領域も表示形状と同様にスライド方向の前後方向に延び、直交方向に縮めるように変形される。これにより、ユーザにスライド方向を認識させやすくできる。また、カーソル４０がスライド方向の直交方向に縮められて細くなることで、目標としていないオブジェクトに当りにくくできる。
【００２６】
図４（ｃ）には、カーソル４０ｂが第２オブジェクト４２ｂに近接または接触した状態を示しており決定部３４は、カーソル４０ｂの当り判定領域が第２オブジェクト４２ｂに重なったと判定する。画像生成部３２は、決定部３４の決定結果を受け取って、図４（ｄ）に示すように、カーソル４０ｂを第２オブジェクト４２ｂに引き込み、第２オブジェクト４２ｂ上にカーソル４０ｃが位置するように示す。カーソル４０ｃは、円環状ではなく、第２オブジェクト４２ｂの画素値を変えて
【００２７】
図４（ｄ）に示す第２オブジェクト４２ｂに重なるカーソル４０ｃは、重なっていない場合より、第２オブジェクト４２ｂの輝度をユーザに視認できる態様で暗く又は明るくしている。これにより、画像生成部３２が重なった第２オブジェクト４２ｂにカーソル４０ｂを引き込むように見せる処理を行うことで、カーソル４０ｃが第２オブジェクト４２ｂに重なっていることをユーザに認識させやすくできる。
【００２８】
図４（ｄ）に示すカーソル４０ｃが第２オブジェクト４２ｂに重なった状態で、ユーザがタップ操作を実行すると、決定部３４は第２オブジェクト４２ｂに対応する車載機能を実行することを決定する。
【００２９】
なお実施例はあくまでも例示であり、各構成要素の組合せにいろいろな変形例が可能なこと、またそうした変形例も本発明の範囲にあることは当業者に理解されるところである。
【符号の説明】
【００３０】
１０  表示制御装置、  ２０  タッチ入力部、  ２２  表示部、  ２４  受付部、  ２６  処理部、  ２８  操作検出部、  ３０  カーソル配置部、  ３２  画像生成部、  ３４  決定部。
【図１】
2019075033.tif 000003
【図２】
2019075033.tif 000004
【図３】
2019075033.tif 000005
【図４】
2019075033.tif 000006